(57)【要約】【課題】  マンションやビル等の建築物において、居住者や賃借人、来訪者、新聞配達員、宅配便配達人、営繕工事業者、営業関係者等、様々な通行人の入退館を１つの出入口で管理するために、複雑な通行人管理ができ、不審者の侵入を防ぎ、地震などによる停電時での使用も可能となる後付け可能なオートロックドアを提供する。  【解決手段】１つの出入口に設置できるように２以上のオートロックドアや通常のドアを組み合わせて一体化した後付け可能なオートロックドアを提供する。これによって管理人の常駐や警備員の配置にかかる費用を節減し、無人でもセキュリティを強化することが可能となる。  【選択図】図１
0003170036.tif 000002
【実用新案登録請求の範囲】
【請求項１】
１つの出入口に２以上のオートロックドアもしくはドアが組み合わされていることを特徴とする後付け可能な組み合わせ式オートロックドア。
【考案の詳細な説明】
【技術分野】
【０００１】
本考案は、１つの出入口に２以上のオートロックドアや手動ドアを一体化して組み合わせたものを設置することで、居住者や賃借人、賃貸人、事務所関係者、来客、新聞配達、営繕工事関係者等の様々なドア通行人管理を可能とし、不審者の侵入を防ぎ、地震等による停電時でも出入り可能とすることを特徴とする組み合わせ式オートロックドアに関するものである。
【背景技術】
【０００２】
従来マンションやビル等の建築物で使用されるオートロックドアは１つの出入口につき1つ設置されているが、１つのオートロックドアのみで居住者や賃借人、賃貸人、事務所関係者、来客、新聞配達、営繕工事関係者等の様々な通行人管理を行うには、複雑な機能がオートロックドアに要求されるため、高価な設備費用を必要とすることがあり、かつ、地震などによる停電時にも出入りできるような、多機能なオートロックドアを設置することは困難であった。また、もともとオートロックドアのないマンション等では、後付けでオートロックドアを設置するとかなり高価なものとなることがあり、通行人管理のため警備員の配置や管理人の常駐に費用がかかる場合がある。
【０００３】
この改善策として、１つの出入口に２以上のオートロックドアや手動ドアなどを組み合わせた後付け可能な組み合わせ式オートロックドアを製作し提供することにより、様々なニーズにあわせた通行人管理や不審者侵入防止、地震などによる停電時の出入り対応などを安価に可能とするものである。
【考案の概要】
【考案が解決しようとする課題】
【０００４】
解決しようとする問題点は、従来のオートロックドアは１つの出入口に１つ設置されているため、通行人管理の機能に限界があり、高度で複雑な通行人管理機能を１つで果たすオートロックドアを設置するには高額な費用が必要になってしまうという点である。また、オートロックドアのもともと設置されていないマンション等では、後付けでオートロックドアを設置するとかなり高価なものとなることがあり、防犯のため警備員の配置や管理人の常駐に費用がかかる場合があるという点である。
【課題を解決するための手段】
【０００５】
本考察は、１つの出入口に２以上のオートロックドアや手動ドアを組み合わせて設置することで、従来よりもはるかに複雑な通行人管理ができ、不審者侵入を防ぎ、地震などによる停電時にも出入りができることを特徴とする後付け可能な組み合わせ式オートロックドアである。
【考案の効果】
【０００６】
本考察の形態の組み合わせ式オートロックドアがあれば、例えばマンション住民はカードキー式オートロックで入館でき、新聞配達員や宅配便配達員は配達人用暗証番号のテンキー入力で入館でき、マンション来訪者は電話回線式オートロックでマンション住民が入館許可を出すことができ、マンション賃借人は賃借人用暗証番号のテンキー入力式オートロックで入館でき、飛び込み営業マンは防犯カメラ連動オートロックで入館していただき、停電時にはシリンダーキーで手動で出入りできるような、複雑な通行人管理機能を１つの出入口に持たせることができる。また、オートロックの設置されていなかったマンション等には、組み合わせ式オートロックドアを設置することにより、管理人の常駐や警備員の配置にかかる費用を節減し、不審者侵入を防止することが可能となる。
【図面の簡単な説明】
【０００７】
【図１】図１は本考察の正面図であり、カードキー式テンキー式シリンダーキー式オートロックドアと電話解錠式オートロックドアの２つを１つに組み合わせた、組み合わせ式オートロックドアの図である。
【図２】図２は本考察の正面図であり、シリンダーキー式オートロックドアと電話解錠式オートロックドアの２つを１つに組み合わせた、組み合わせ式オートロックドアの図である。
【図３】図３は本考察の正面図であり、カードキー式テンキー式オートロックドアとシリンダーキー式オートロックの２つを１つに組み合わせた、組み合わせ式オートロックドアの図である。
【図４】図４は本考察の正面図であり、シリンダーキーおよびテンキー式オートロックドアとテンキー式オートロックの２つを１つに組み合わせた、組み合わせ式オートロックドアの図である。
【考案を実施するための形態】
【０００８】
１つの出入口に設置できるように２以上のオートロックドアや手動ドアを組み合わせて一体化したオートロックドア。
【実施例１】
【０００９】
図１の組み合わせ式オートロックドアは、分譲用マンション居住者は左側のオートロックドアをキーカードもしくはテンキー入力もしくはシリンダーキーで解錠でき、来訪者は右側のオートロックドアから、居住者が電話で解錠してくれれば入館できるシステムである。シリンダーキーがあるので、地震などの停電時でも出入りができる。もともとオートロックドアのないマンション等でも、後付けで設置でき、不審者の侵入を防止できる。
【実施例２】
【００１０】
図２の組み合わせ式オートロックドアは、分譲用マンション居住者は左側のオートロックドアをシリンダーキーで解錠でき、来訪者は右側のオートロックドアから、居住者が電話で解錠してくれれば入館できるシステムである。シリンダーキーがあるので、地震などの停電時でも出入りができる。もともとオートロックドアのないマンション等でも、後付けで設置でき、不審者の侵入を防止できる。
【実施例３】
【００１１】
図３の組み合わせ式オートロックドアは、賃貸用マンションで、賃借人は左側のオートロックドアをキーカードもしくはテンキー入力で解錠でき、賃貸人は右側のオートロックドアをシリンダーキーで解錠できるシステムである。シリンダーキーがあるので、地震などの停電時でも出入りができる。もともとオートロックドアのないマンション等でも、後付けで設置でき、不審者の侵入を防止できる。
【実施例４】
【００１２】
図４の組み合わせ式オートロックドアは、賃貸用マンションで、賃借人は左側のオートロックドアをテンキー入力もしくはシリンダーキーで解錠でき、新聞配達人は右側のオートロックドアをテンキー入力で解錠できるシステムである。左側と右側のテンキー用暗証番号はそれぞれ独立しているため、右側の暗証番号は定期的に変更することでセキュリティが維持でき、左側のテンキー用暗証番号は賃借人が変わった時に変更するなど、用途に応じてそれぞれ変更できる。シリンダーキーがあるので、地震などの停電時でも出入りができる。もともとオートロックドアのないマンション等でも、後付けで設置でき、不審者の侵入を防止できる。
【産業上の利用可能性】
【００１３】
これまでのオートロックドアは１つの出入口に単体で使用されていたため、単体のオートロック機能しか使用できなかったが、この考察によって、異なる用途のオートロックドアを１つの出入口に組み合わせることで、複雑な通行人管理が可能となるため、ビルやマンション、戸建て住宅等、あらゆる建築物に対して、産業上利用可能性が見込める。もともとオートロックドアのないマンション等でも、後付けで設置でき、不審者の侵入を防止できる。
【図１】
0003170036.tif 000003
【図２】
0003170036.tif 000004
【図３】
0003170036.tif 000005
【図４】
0003170036.tif 000006